(57)【要約】【課題】  ワイヤを伴う手技において、ワイヤの取り扱いを容易にできるワイヤ保持具及びそれを用いた医用画像診断装置を提供する。【解決手段】  寝台32に固定するための基台12と、基台12から鉛直方向に伸びている柱部18とを備え、柱部18には、カテーテルを含むワイヤ23を巻き取るための巻取り部22と、ワイヤ23を掛けるためのワイヤ掛け具28とが設置されている。また、ワイヤ掛け具28を上下させたり、回転させたりする可動部26を柱部18に備える。【選択図】    図1
2009233176.tif 000002
【特許請求の範囲】
【請求項１】
寝台に固定するための基台と、前記基台から鉛直方向に伸びている柱部とを備え、前記柱部には、カテーテルを含むワイヤを巻き取るための巻取り部と、前記ワイヤを掛けるためのワイヤ掛け具とが設置されていることを特徴とするワイヤ保持具。
【請求項２】
前記ワイヤ掛け具を上下させたり、回転させたりする可動部を前記柱部に備えることを特徴とする請求項１記載のワイヤ保持具。
【発明の詳細な説明】
【技術分野】
【０００１】
本発明は、ガイドワイヤやカテーテル等を保持するワイヤ保持具及びそれを用いた医用画像診断装置に関する。
【背景技術】
【０００２】
近年の手術において、X線透視及びX線撮影下において、被検体の血管等にガイドワイヤを挿入し、ガイドワイヤ内のカテーテルを操作し、カテーテルを病変部にまで進め、カテーテルを介して薬液や治療用器具を経皮的に挿入したり、内容物を吸引・排除等する被検体に与える侵襲を抑えたインターベンショナル・ラジオロジィ(Interventional Radiology)といわれる治療法(以下IVRと略記する)や、内視鏡を膵管や胆管に進め、造影剤を注入した後、X線照射を行うERCP(内視鏡逆行性胆管膵管造営)等、X線診断装置とワイヤ類が共に利用される手技が行われている。これらのワイヤ類を処置するものとして、内視鏡を収納する収納装置を有し、収納装置には挿入部を巻回すロール状部材が回転自在に設けられている内視鏡用処置具が開示されている(例えば、特許文献1)。
【０００３】
【特許文献１】特開2005-334132号公報
【発明の開示】
【発明が解決しようとする課題】
【０００４】
しかしながら、X線透視及びX線撮影下において、カテーテルとそのガイドワイヤを用いる場合、特許文献1に記載された収納装置に収納したとしても、カテーテルやそのガイドワイヤは、しなりがある為に術中の扱いが難しい。そのため、カテーテルとそのガイドワイヤが床についてしまったり、適切に被検体の挿入部まで移動させることができなかったりするものと思料する。
【０００５】
一般にワイヤを用いた手技ではワイヤの操作者と、操作者の他に介助者が必要であるのが現状である。操作者はワイヤを操作し、介助者はワイヤを保持し、余長部分を調整する。
【０００６】
本発明の目的は、ワイヤを伴う手技において、ワイヤの取り扱いを容易にできることを目的とする。
【課題を解決するための手段】
【０００７】
本発明の目的を達成するため、寝台に固定するための基台と、前記基台から鉛直方向に伸びている柱部とを備え、前記柱部には、カテーテルを含むワイヤを巻き取るための巻取り部と、前記ワイヤを掛けるためのワイヤ掛け具とが設置されている。また、前記ワイヤ掛け具を上下させたり、回転させたりする可動部を前記柱部に備える。
【０００８】
すなわち本発明は、寝台に取り外し可能でワイヤの操作を助けるワイヤ保持具を設ける。ワイヤ保持具は、寝台の任意の位置に着脱が可能で、高さ方向の伸縮が自在、かつ回転が可能な一本の柱部に、ワイヤのワイヤ掛け具と巻取り部を具備させたものである。
【０００９】
ワイヤ掛け具にはフックを有しており、ワイヤをフックに引掛けることでワイヤを保持できる。巻取り部は、手技に必要の無いワイヤの余長部分を巻き取るボビン状の回転機構である。この巻取りは、任意の長さだけ巻取れ、排出も行うことができる。
【発明の効果】
【００１０】
本発明により、ワイヤを伴う手技において、ワイヤの取り扱いを容易にできる。
【発明を実施するための最良の形態】
【００１１】
《第1の実施形態》
図1はワイヤ保持具10の構成を示す図である。図2、図3はワイヤ保持具の取り付け例を示す図である。
【００１２】
ワイヤ保持具10は、寝台32の天板部に固定するため、寝台32の天板部の厚さに適合した凹部を有した基台12と、基台12の着脱を行なうための固定具14、16と、基台12から鉛直方向に伸びている柱部18と、ワイヤ掛け具28の高さ等を調整する可動部26とを備えている。
【００１３】
柱部18の中段には、回転部20が柱部18に対して回転可能に設置されている。回転部20の一端には、カテーテルとそのガイドワイヤからなるワイヤ23を巻き取るための巻取り部22が設置されている。回転部20の他端には、巻取り部22を回転させるためのハンドル部24が設置されている。また、柱部18の上段には、ワイヤ23を掛けるためのワイヤ掛け具28が設置されている。
【００１４】
固定具14、16は、基台12を貫通し、回転可能に設置されている。固定具14、16は、それ自身を回転させることにより、固定部14、16を寝台32の天板部に押し付けることができ、基台12を寝台32の天板部の端部に固定することができる。図3にその固定例を示す。
【００１５】
巻取り部22には、ワイヤ23が巻かれている。ハンドル部24を回転させることにより、ワイヤ23を引き出したり、戻したりすることができる。ハンドル部24は、操作者の操作で回すことができるが、操作者の操作以外で自然に回ることはないように、適宜ロックされている。
【００１６】
ワイヤ掛け具28は、可動部26を介して柱部18に係合されている。ワイヤ掛け具28の両端には、ワイヤ23を掛けるためのフック29を有している。
【００１７】
可動部26の締め付けを緩めることにより、ワイヤ掛け具28を上下させたり、ワイヤ掛け具28を回転させたりすることができる。可動部26の締め付けを強めることにより、ワイヤ掛け具28を柱部18に対して固定することができる。よって、ワイヤ掛け具28を上下させたり、ワイヤ掛け具28を回転させたりすることにより、フック29の位置を上下、回転させることができる。ワイヤ掛け具28の回転は360°可能である。このように、ワイヤ掛け具28の高さや位置等、操作者の任意の位置に設置することができる。
【００１８】
また、ワイヤ保持具10を収納する際には、ワイヤ掛け具28の高さを低くすることにより、コンパクトに収納することができる。ワイヤ保持具10を使用する際には、ワイヤ掛け具28の高さを高くして所望の位置に固定させることができる。
【００１９】
ここで、本発明の動作について、図2を用いて説明する。まず、被検体30内へ挿入される方とは逆のワイヤ23の先端を巻取り部22に固定し、あらかじめワイヤ23を巻き取り部22に巻きつけておく。そして、ハンドル部24を回転させることにより、必要な分だけワイヤ23を引き出す。ワイヤ23は、寝台32や床やその他の不衛生な箇所に接触しないように、ワイヤ掛け具28のフック29に引掛ける。そして、巻取り部22から引き出されたワイヤ23は、ワイヤ掛け具28のフック29を介して、被検体30内に挿入される。具体的には、ワイヤ23の先端部を被検体30の血管等に挿入し、ワイヤ23内のカテーテルを挿入する。また、手技が終了したら、ハンドル部24を回転させて巻取りを行う。
【００２０】
このように、操作者は、簡単なハンドル操作でワイヤ23の操作を行なうことができる。また、ワイヤ掛け具28にワイヤ23を引掛けておけば、床やその他の不衛生な箇所への接触の可能性は低くなる。つまり、ワイヤ23の操作者は、介助者を必要とせずに施術を行なうことができる。
【００２１】
なお、本実施形態では、ワイヤ保持具10を寝台32に固定したが、寝台32以外の他の構成要素や壁など床面上に配置された部材に固定させてもよい。
【００２２】
また、本実施形態では、X線透視及びX線撮影下において、カテーテルとそのガイドワイヤを用いるX線診断装置に特化して説明したが、X線診断装置に限らず、ＣＴ装置，ＭＲＩ装置等の医用画像診断装置にもワイヤ保持具10を用いることができる。
【００２３】
《第2の実施形態》
ここで、第2の実施形態について図4を用いて説明する。第1の実施形態と異なる点は、手動で操作するハンドル部を、電動で操作するモータにした点である。具体的には、モータ40を用い、ボタンの操作だけで巻取り部22の回転を行う。供電は商用電源もしくは充電式のバッテリや電池等により行う。
【００２４】
柱部18の中段には、回転部20が柱部18に対して回転可能に設置されている。回転部20の一端には、カテーテルとそのガイドワイヤからなるワイヤ23を巻き取るための巻取り部22が設置されている。回転部20の他端には、巻取り部22を回転させるためのモータ24が設置されている。
【００２５】
また、柱部18の中段には、モータ24を制御するスイッチ41が設けられている。スイッチ41は、ワイヤ23を引き出す正回転ボタン42とワイヤ23を収納する逆回転ボタン44とを有している。正回転ボタン42を押すことにより、モータ24を正回転させることができ、ワイヤ23を被検体30側に引き出すことができる。また、逆回転ボタン44を押すことにより、モータ24を逆回転して回転させることができ、ワイヤ23を巻取り部22側に収納することができる。具体的には、モータ24に正回転／逆回転の電圧をリレー等の接点を介して接続し、正回転ボタン42又は逆回転ボタン44の押下によってモータ24が回転動作を行う。
【００２６】
このように、ワイヤ保持具10にモータ24とモータを制御するスイッチ41を設けることにより、ワイヤ23の引き出し／巻取りを行うことができる。
【００２７】
なお、一方の動作中は他方の釦は動作しないインターロック機構も有す。以上より、操作者の負担はさらに軽減されることが期待される。
【００２８】
《第3の実施形態》
ここで第3の実施形態について図5を用いて説明する。第1の実施形態及び第2の実施形態と異なる点はモータ40を動作させるフットスイッチ50をワイヤ保持具10と離れたところに設置した点である。
【００２９】
柱部18の中段には、回転部20が柱部18に対して回転可能に設置されている。回転部20の一端には、カテーテルとそのガイドワイヤからなるワイヤ23を巻き取るための巻取り部22が設置されている。回転部20の他端には、巻取り部22を回転させるためのモータ24が設置されている。
【００３０】
また、モータ24を制御するフットスイッチ50がワイヤ保持具10と離れた箇所に設けられている。フットスイッチ50は、ケーブル56でモータ24に接続されている。フットスイッチ50は、ワイヤ23を引き出す正回転スイッチ52とワイヤ23を収納する逆回転スイッチ54とを有している。正回転スイッチ52を押すことにより、モータ24を正回転させることができ、ワイヤ23を被検体30側に引き出すことができる。また、逆回転スイッチ54を押すことにより、モータ24を逆回転して回転させることができ、ワイヤ23を巻取り部22側に収納することができる。具体的には、モータ24に正回転／逆回転の電圧をリレー等の接点を介して接続し、正回転スイッチ52又は逆回転スイッチ54の押下によってモータ24が回転動作を行う。
【００３１】
このように、ワイヤ保持具10にモータ24とモータを制御するフットスイッチ50を設けることにより、操作者の両手をフリーにして、ワイヤ23の引き出し／巻取りを行うことができる。
【図面の簡単な説明】
【００３２】
【図１】本発明の第1の実施形態の構成を示す図。
【図２】本発明の第1の実施形態の具体例を示す図。
【図３】本発明の第1の実施形態の具体例を示す図。
【図４】本発明の第2の実施形態の構成を示す図。
【図５】本発明の第3の実施形態の構成を示す図。
【符号の説明】
【００３３】
10  ワイヤ保持具、12  基台、14、16  固定具、18  柱部、20  回転部、22  巻取り部、23  ワイヤ、24  ハンドル部、28  ワイヤ掛け具
【図１】
2009233176.tif 000003
【図２】
2009233176.tif 000004
【図３】
2009233176.tif 000005
【図４】
2009233176.tif 000006
【図５】
2009233176.tif 000007